(57)【要約】【課題】操作対象となるオーディオビデオ機器の動作状態を直接的に確認しながら遠隔操作を行えるようにし、これにより操作性の向上を図る。【解決手段】自宅ＡＳに設置した映像送信装置ＴＤに、ＡＶ機器ＶＤの前面パネルを撮像してその撮像画像情報を出力するビデオカメラ９を設け、外出先に設置された映像受信装置ＲＤからＩＰ網ＮＷを介して送られる入力映像選択信号に応じて、上記ビデオカメラ９から出力された撮像画像信号と上記ＡＶ機器ＶＤから再生出力される放送コンテンツの映像信号とのいずれか一方を選択して映像処理部４で符号化し、この符号化された映像データを上記映像受信装置ＲＤへ送信してテレビジョン受信機ＭＴに表示させる。【選択図】      図２
2009272695.tif 000002
【特許請求の範囲】
【請求項１】
遠隔操作対象のオーディオビデオ機器と通信ネットワークとの間に配置され、遠隔地の端末装置から前記通信ネットワークを介して送られる遠隔操作情報に応じて、前記オーディオビデオ機器に記録された映像を含むコンテンツ情報を前記通信ネットワークを介して前記端末装置へ送信するコンテンツ情報送信装置であって、
前記オーディオビデオ機器の操作用表示部を撮像してその撮像画像情報を出力するカメラと、
前記端末装置から通信ネットワークを介して送られる遠隔操作情報に応じて、前記オーディオビデオ機器から出力されるコンテンツ情報と前記カメラから出力された撮像画像情報とを選択的に、前記通信ネットワークを使用して伝送するために必要なデータ形式に変換する信号処理モジュールと、
前記データ形式が変換されたコンテンツ情報及び撮像画像情報を、前記端末装置に向けて前記通信ネットワークへ送信する送信モジュールと
を具備することを特徴とするコンテンツ情報送信装置。
【請求項２】
前記信号処理モジュールは、前記端末装置から通信ネットワークを介して送られる遠隔操作情報に応じて、前記オーディオビデオ機器から出力されたコンテンツ情報と、前記カメラから出力された撮像画像情報とを、時分割処理により択一的に前記データ形式に変換し、
前記送信モジュールは、前記データ形式が変換されたコンテンツ情報及び撮像画像情報を、時分割で択一的に前記端末装置へ送信することを特徴とする請求項１記載のコンテンツ情報送信装置。
【請求項３】
前記信号処理モジュールは、
前記端末装置から遠隔操作情報が受信された時点から前記オーディオビデオ機器からコンテンツ情報が出力されるまでの第１の期間に、前記カメラから出力された撮像画像情報を選択して当該撮像画像情報を前記データ形式に変換する手段と、
前記オーディオビデオ機器からコンテンツ情報が出力された時点から前記端末装置から次の遠隔操作情報が受信されるまでの第２の期間に、前記オーディオビデオ機器から出力されたコンテンツ情報を選択して前記データ形式に変換する手段と
を備え、
前記送信モジュールは、前記第１の期間に、前記信号処理モジュールにより変換された撮像画像情報を前記端末装置へ送信し、前記第２の期間に、前記信号処理モジュールにより変換されたコンテンツ情報を前記端末装置へ送信することを特徴とする請求項１記載のコンテンツ情報送信装置。
【請求項４】
前記信号処理モジュールは、前記オーディオビデオ機器から出力されたコンテンツ情報と、前記カメラから出力された撮像画像情報とを合成して１画面サイズの情報を生成し、この生成された１画面サイズの合成情報を前記データ形式に変換し、
前記送信モジュールは、前記データ形式が変換された合成情報を前記端末装置へ送信することを特徴とする請求項１記載のコンテンツ情報送信装置。
【発明の詳細な説明】
【技術分野】
【０００１】
この発明は、オーディオビデオ機器を外出先から通信ネットワークを介して遠隔操作することにより、当該オーディオビデオ機器に記憶されたコンテンツ情報を外出先において視聴可能にするシステムで使用されるコンテンツ情報送信装置に関する。
【背景技術】
【０００２】
近年、例えば家庭内に設置されたビデオレコーダ等のオーディオビデオ機器に送信装置を接続し、外出先の端末から通信ネットワークを介して上記送信装置に遠隔操作信号を送信することにより、上記オーディオビデオ機器に記憶された映像コンテンツを上記送信装置から通信ネットワークを介して外出先の端末へ送信するシステムが開発されている。このようなシステムによれば、利用者は例えば自宅のビデオレコーダで録画された映像コンテンツを、外出先においてテレビジョン受信機や携帯端末を用いて視聴することが可能となり大変便利である（例えば、非特許文献１又は非特許文献２を参照。）。
【０００３】
【非特許文献１】ソニー製品情報、Location Free「ロケーションフリー」、＜URL：http://www.sony.jp/products/Consumer/locationfree/network/index.html＞
【０００４】
【非特許文献２】ロケーションフリーベースステーション「ＬＦ−ＰＫ２０」、＜URL：http://www.sony.jp/CorporateCruise/Press/200609/06-0906＞
【発明の開示】
【発明が解決しようとする課題】
【０００５】
ところが、前記従来の装置は以下のような解決すべき課題があった。すなわち、一般にビデオレコーダ等のオーディオビデオ機器には、表示パネルに、電源のオン／オフ状態を示すランプや、再生対象となる記録媒体の選択結果やコンテンツの再生時間、動作異常等を表示するための文字情報表示部が設けられ、利用者はこの表示パネルを見て機器の動作状態を確認しながら操作を行えるようになっている。一方、前記従来の送信装置は、テレビジョン画面上に当該送信装置専用の「画面リモコン」を表示し、この画面リモコンをリモコンで操作するものとなっている。このため、利用者は遠隔操作を行う際に、実際の操作対象となるオーディオビデオ機器の動作状態を直接的に確認することができず、操作を行い難かった。
【０００６】
例えば、ビデオレコーダに録画された映像コンテンツを外出先のテレビジョン受信機で視聴しようとして操作を行ったものの、テレビジョン受信機に映像が表示されなかったとする。この場合、利用者はビデオレコーダに異常があるのか、或いは操作に誤りがあるのかがリモコン画面からでは判断できない。
【０００７】
この発明は上記事情に着目してなされたもので、その目的とするところは、操作対象となるオーディオビデオ機器の動作状態を直接的に確認しながら遠隔操作を行えるようにし、これにより操作性の向上を図ったコンテンツ送信装置を提供することにある。
【課題を解決するための手段】
【０００８】
上記目的を達成するためにこの発明の一観点は、遠隔操作対象のオーディオビデオ機器と通信ネットワークとの間に配置されるコンテンツ情報送信装置にあって、前記オーディオビデオ機器の操作用表示部を撮像してその撮像画像情報を出力するカメラを新たに設ける。そして、前記端末装置から通信ネットワークを介して送られる遠隔操作情報に応じて、上記カメラから出力された撮像画像情報と上記オーディオビデオ機器から出力されるコンテンツ情報とを選択的に、１つの信号処理モジュールにより伝送に必要なデータ形式に変換し、この変換されたコンテンツ情報及び撮像画像情報を前記端末装置に向けて通信ネットワークへ送信するように構成したものである。
【０００９】
したがって、遠隔地の端末装置には、カメラにより撮像されたオーディオビデオ機器の操作用表示部の画像情報が送られる。このため、利用者はオーディオビデオ機器の操作用表示部に表示される当該機器の動作状態を表す情報、例えば電源のオン／オフ状態や、再生対象となる記録媒体の選択結果、コンテンツの再生時間、動作異常等を視認しながら遠隔操作を行うことが可能となる。しかも、オーディオビデオ機器の操作表示部の撮像画像がそのまま遠隔地の端末装置へ伝送されて表示されるので、どの利用者も自身のオーディオビデオ機器の動作状態をあたかも自宅で操作しているかのように違和感なく直接的に確認することが可能となる。
【００１０】
また、カメラにより撮像されたオーディオビデオ機器の操作用表示部の画像情報は、視聴対象の映像コンテンツ情報をデータ変換する既存の信号処理モジュールを用いてデータ変換される。すなわち、信号処理モジュールが共用される。このため、撮像画像情報を送信するために新たに専用の信号処理モジュールを設ける必要がなく、これにより回路構成の複雑かつ大型化を回避できる。さらにデータ変換された撮像画像情報は、映像コンテンツ情報を送信するための既存の送信モジュールを用いて送信されるので、送信モジュール及び伝送路についても共用することが可能となる。
【００１１】
この発明の一観点は、以下のような具体的な構成要素を備えることも特徴とする。  
第１の構成要素は、信号処理モジュールにより、端末装置から通信ネットワークを介して送られる遠隔操作情報に応じて、オーディオビデオ機器から出力されたコンテンツ情報とカメラから出力された撮像画像情報とを、時分割処理により択一的に伝送用のデータ形式に変換し、送信モジュールにより、上記データ形式が変換されたコンテンツ情報及び撮像画像情報を時分割で択一的に端末装置へ送信するものである。
【００１２】
より具体的には、端末装置から遠隔操作情報が受信された時点からオーディオビデオ機器からコンテンツ情報が出力されるまでの第１の期間に、カメラから出力された撮像画像情報を選択して当該撮像画像情報を伝送用のデータ形式に変換し、オーディオビデオ機器からコンテンツ情報が出力された時点から端末装置から次の遠隔操作情報が受信されるまでの第２の期間に、オーディオビデオ機器から出力されたコンテンツ情報を選択して伝送用のデータ形式に変換する。そして、上記第１の期間に、上記伝送用のデータ形式に変換された撮像画像情報を端末装置へ送信し、上記第２の期間に、上記伝送用のデータ形式に変換されたコンテンツ情報を端末装置へ送信する。
【００１３】
このように構成すると、カメラから出力された操作用表示部の撮像画像情報と、オーディオビデオ機器から出力されたコンテンツ情報とが、信号処理モジュールで時分割処理されて端末装置へ送信される。したがって、信号処理モジュール及び送信モジュールの処理負荷が増加する心配もない。また、カメラから出力された操作用表示部の撮像画像情報は、遠隔地における利用者の遠隔操作に応じて利用者が確認を必要とする期間にのみ選択されて送信されるため、利用者は逐一カメラの撮像画像情報とオーディオビデオ機器のコンテンツ情報とを切り替える操作を行う必要がない。
【００１４】
第２の構成要素は、信号処理モジュールにおいて、オーディオビデオ機器から出力されたコンテンツ情報と、カメラから出力された操作用表示部の撮像画像情報とを合成して１画面サイズの情報を生成し、この生成された１画面サイズの合成情報を伝送用のデータ形式に変換したのち、送信モジュールにより端末装置へ送信するものである。  
このようにすると、利用者はコンテンツ映像を視聴しながら、同一画面上においてオーディオビデオ機器の操作用表示部に表示された情報を確認することが可能となる。
【発明の効果】
【００１５】
要するにこの発明の一観点によれば、操作対象となるオーディオビデオ機器の動作状態を直接的に確認しながら遠隔操作を行えるようになり、これにより操作性の向上を図ったコンテンツ送信装置を提供することができる。
【発明を実施するための最良の形態】
【００１６】
以下、図面を参照してこの発明に係わる実施形態を説明する。  
（第１の実施形態）  
図１は、この発明に係わるコンテンツ情報送信装置を使用する遠隔操作システムの第１の実施形態を示す概略構成図である。  
自宅ＡＳには、ビデオレコーダ等のオーディオビデオ機器（ＡＶ機器）ＶＤと、コンテンツ情報送信装置としての映像送信装置ＴＤが設置されている。映像送信装置ＴＤは、上記ＡＶ機器ＶＤにコンポジットケーブルを介して接続される。コンポジットケーブルは、１本の映像信号線と、ステレオ音声に対応する２本のオーディオ信号線を束ねたものからなる。また映像送信装置ＴＤは、放送受信アンテナＡＴ及びＣＡＴＶ（Cable Television）網に接続されており、放送局又はＣＡＴＶ網から受信した放送コンテンツを上記ＡＶ機器ＶＤに供給して記録させる。さらに、映像送信装置ＴＤはＩＰ（Internet Protocol）網ＮＷに接続され、後述する外出先ＢＳに設置された映像受信装置ＶＤとの間で上記ＩＰ網ＮＷを介して通信が可能となっている。
【００１７】
図２は、上記ＡＶ機器ＶＤと映像送信装置ＴＤとの配置関係の一例を示す図である。  
ＡＶ機器ＶＤの前面パネルには、電源のオン／オフ状態等を表示するランプ群ＬＰと、機器の動作状態を表す文字情報やマークを表示する文字情報表示部ＤＰと、赤外線操作信号を受信する赤外線受信部ＲＸが設けられている。ＡＶ機器ＶＤは、映像と音声とを含む放送コンテンツを、磁気ディスクや光ディスク等の記録媒体に記録する。
【００１８】
一方、映像送信装置ＴＤは、映像選択部８、映像音声処理モジュール１４及び制御通信モジュール１５に加えて、ビデオカメラ９及び赤外線リモコン発光部１３を備えている。ビデオカメラ９はＣＣＤまたはＣＭＯＳを使用した小型カメラであり、上記ＡＶ機器ＶＤの前面パネルと対向する位置に配置される。ビデオカメラ９は、上記前面パネルのランプ群ＬＰ及び文字情報表示部ＤＰを含む所定の範囲を撮像可能なように撮像範囲が設定されている。赤外線リモコン発光部１３も、上記ビデオカメラ９と同様に上記ＡＶ機器ＶＤの前面パネルと対向する位置に配置される。赤外線送信機１３は、ＡＶ機器ＶＤに付属するリモートコントローラ（図示せず）に代わり、ＡＶ機器ＶＤの赤外線受信部ＲＸに向けてＡＶ機器ＶＤを操作するための赤外線操作信号を送信する。
【００１９】
図３は、上記映像送信装置ＴＤの詳細な構成を示すブロック図である。  
映像送信装置ＴＤは、ユーザインタフェース部１と、アプリケーション制御部２と、音声処理部３と、映像処理部４と、ＴＣＰ（ＵＤＰ）／ＩＰ処理部５と、ネットワークインタフェース部６と、選択フラグ７と、映像選択部８と、ビデオカメラ９と、ＡＶ機器メーカ名保存部１０と、リモコンコード決定部１１と、リモコンコード検索テーブル１２と、赤外線リモコン発光部１３とを備えている。
【００２０】
このうち、音声処理部３と映像処理部４とにより映像音声処理モジュール１４が構成される。また、ユーザインタフェース部１と、アプリケーション制御部２と、ＴＣＰ（ＵＤＰ）／ＩＰ処理部５と、ネットワークインタフェース部６と、選択フラグ７と、ＡＶ機器メーカ名保存部１０と、リモコンコード決定部１１と、リモコンコード検索テーブル１２とにより制御通信モジュール１５が構成される。
【００２１】
ユーザインタフェース部１は、映像送信装置ＴＤに付属するリモートコントローラ（図示せず）を用いて、利用者がＡＶ機器ＶＤのメーカ名を表す情報を入力する操作を行った場合に、その入力操作信号を受信してその操作コードをアプリケーション制御部２に伝える。
【００２２】
アプリケーション制御部２はＲＯＭ等に記憶されたアプリケーション・プログラムに従い当該映像送信装置の動作を統括的に制御するもので、以下の各処理機能を有する。  
すなわち、（１）上記ユーザインタフェース部１を介して入力されたＡＶ機器ＶＤのメーカ名を表す情報をＡＶ機器メーカ名保存部１０に記憶させる処理機能。  
（２）後述する映像受信装置ＲＤからＩＰ網ＮＷを介して接続要求が送られた場合に、当該接続要求に応答すると共に、音声処理部３、映像処理部４、ビデオカメラ９及び選択フラグ７を起動する処理機能。  
（３）映像受信装置ＲＤからＩＰ網ＮＷを介して映像選択信号が送られた場合に、当該映像選択信号を映像選択部８に通知する処理機能。  
（４）映像受信装置ＲＤからＩＰ網ＮＷを介してＡＶ機器操作信号が送られた場合に、当該ＡＶ機器操作信号をＡＶ機器メーカ名保存部１０に記憶されたＡＶ機器ＶＤのメーカ名を表す情報と共にリモコンコード決定部１１に通知する処理機能。
【００２３】
映像選択部８は、ビデオカメラ９から出力されるＡＶ機器ＶＤの前面パネルを撮像した画像信号を「入力１」として取り込むと共に、ＡＶ機器ＶＤから出力された放送コンテンツをコンポジットケーブルを介して入力２として取り込む。そして、上記アプリケーション制御部２から映像選択信号が与えられたとき、この映像選択信号により指定される入力ソース（「入力１」又は入力２）を選択フラグ７に記憶させ、この選択フラグ７に記憶された入力ソースに対応する撮像画像信号又は放送コンテンツを選択して、その映像信号を映像処理部４に、また放送コンテンツの音声信号を音声処理部３にそれぞれ供給する。
【００２４】
音声処理部３は、上記映像選択部８から供給された放送コンテンツの音声信号をG.722等の音声符号化方式を用いて符号化し、この符号化された音声データをＴＣＰ（ＵＤＰ）／ＩＰ処理部５に供給する。  
映像処理部４は、上記映像選択部８から供給された映像信号をH.264等の映像符号化方式を用いて符号化し、この符号化された映像データをＴＣＰ（ＵＤＰ）／ＩＰ処理部５に供給する。
【００２５】
ＴＣＰ（ＵＤＰ）／ＩＰ処理部５は、映像受信装置ＲＤからＩＰ網ＮＷを介して送られた接続要求、映像選択信号及びＡＶ機器操作信号をＩＰパケットから取り出してアプリケーション制御部２に通知する処理と、上記音声処理部３及び映像処理部４から出力された符号化音声データ及び符号化映像データをTCP(UDP)/IP（Transmission Control Protocol (User Datagram Protocol)／Internet Protocol）に従いパケット化してネットワークインタフェース部６へ転送する処理をそれぞれ実行する。
【００２６】
ネットワークインタフェース部６は、上記ＴＣＰ（ＵＤＰ）／ＩＰ処理部５から出力されたＩＰパケットにＭＡＣアドレスを付与して、例えばEthernet（登録商標）に対応する伝送フレームに変換し、この変換されたフレームをＩＰ網ＮＷへ送信する処理と、ＩＰ網ＮＷから受信したEthernet（登録商標）に対応する伝送フレームからＩＰパケットを抽出し、この抽出したＩＰパケットをＴＣＰ（ＵＤＰ）／ＩＰ処理部５に渡す処理をそれぞれ実行する。
【００２７】
リモコンコード検索テーブル１２には、ＡＶ機器のメーカ名を表す情報に対応付けて、操作種別ごとのリモコンコードが記憶されている。図４はその一例を示すもので、操作種別としては、例えば「電源ＯＮ」、「再生」、「電源ＯＦＦ」、「一時停止」がある。  
リモコンコード決定部１１は、アプリケーション制御部２からＡＶ機器操作信号とＡＶ機器ＶＤのメーカ名を表す情報が通知された場合に、このＡＶ機器操作信号とＡＶ機器ＶＤのメーカ名を表す情報を検索キーとして上記リモコンコード検索テーブル１２を検索し、該当するリモコンコードを読み出す。そして、この読み出されたリモコンコードをもとに赤外線リモコン発光部１３を駆動して赤外線信号を発光させる処理を実行する。
【００２８】
一方、ホテル等の外出先ＢＳには、テレビジョン受信機ＭＴと、映像受信装置ＲＤが設置される。映像受信装置ＲＤは、上記テレビジョン受信機ＭＴにコンポジットケーブルを介して接続される。映像受信装置ＲＤは例えばパーソナル・コンピュータからなり、次のように構成される。図５はその構成を示すブロック図である。
【００２９】
すなわち、映像受信装置ＲＤは、ユーザインタフェース部２１と、アプリケーション制御部２２と、音声処理部２３と、映像処理部２４と、ＴＣＰ（ＵＤＰ）／ＩＰ処理部２５と、ネットワークインタフェース部２６と、選択フラグ２７とを備えている。  
ユーザインタフェース部２１は、映像受信装置ＲＤに付属するリモートコントローラ（図示せず）を用いて、利用者が接続要求、映像選択要求、ＡＶ機器の遠隔操作要求の入力操作を行った場合に、その入力操作信号を受信してその操作コードをアプリケーション制御部２２に通知する。
【００３０】
アプリケーション制御部２２は、ＲＯＭ等に記憶されたアプリケーション・プログラムに従い当該映像送信装置の動作を統括的に制御するもので、以下の各処理機能をそれぞれ実行する。  
（１）上記ユーザインタフェース部２１を介して接続要求が入力された場合に、自宅ＡＳの映像送信装置ＴＤに向けて接続要求を送信させる処理機能。  
（２）上記接続要求に対し映像送信装置ＴＤから応答が返送された場合に、音声処理部２３及び映像処理部２４を起動させる処理機能。  
（３）上記ユーザインタフェース部２１を介して映像選択要求及びＡＶ機器の遠隔操作要求を表す情報が入力された場合に、これらの要求を自宅ＡＳの映像送信装置ＴＤに向けて送信させる処理機能。  
（４）上記映像選択信号が入力された場合に、当該映像選択信号により指定される入力ソース（「入力１」又は入力２）を選択フラグ２７に記憶させる処理機能。
【００３１】
ＴＣＰ（ＵＤＰ）／ＩＰ処理部２５は、上記アプリケーション制御部２２から映像選択要求及びＡＶ機器の遠隔操作要求を表す情報が通知された場合に、これらの要求情報をTCP(UDP)/IP（Transmission Control Protocol (User Datagram Protocol)／Internet Protocol）に従いパケット化してネットワークインタフェース部２６へ転送する処理と、映像送信装置ＴＤからＩＰ網ＮＷを介して送られた放送コンテンツ情報をＩＰパケットから取り出し、そのうちの符号化映像データを映像処理部２４に、また符号化音声データを音声処理部２３にそれぞれ入力する処理をそれぞれ実行する。
【００３２】
ネットワークインタフェース部２６は、上記ＴＣＰ（ＵＤＰ）／ＩＰ処理部２５から出力されたＩＰパケットにＭＡＣアドレスを付与して、例えばEthernet（登録商標）に対応する伝送フレームに変換し、この変換されたフレームをＩＰ網ＮＷへ送信する処理と、ＩＰ網ＮＷから受信したEthernet（登録商標）に対応する伝送フレームからＩＰパケットを抽出し、この抽出したＩＰパケットをＴＣＰ（ＵＤＰ）／ＩＰ処理部２５に渡す処理をそれぞれ実行する。
【００３３】
音声処理部２３は、上記ＴＣＰ（ＵＤＰ）／ＩＰ処理部２５から供給された符号化音声データをG.722等の音声符号化方式を用いて復号し、この復号された音声信号をテレビジョン受信機ＭＴへ出力する。  
映像処理部２４は、上記ＴＣＰ（ＵＤＰ）／ＩＰ処理部２５から供給された符号化映像データをH.264等の映像符号化方式を用いて復号し、この復号された映像信号をテレビジョン受信機ＭＴへ出力する。
【００３４】
次に、以上のように構成された遠隔操作システムの動作を映像送信装置ＴＤを中心に説明する。図６は遠隔操作システムの動作説明に使用するシーケンス図である。  
（１）ＡＶ機器ＶＤのメーカ名の登録
システムの使用開始に先立ち利用者は、自宅ＡＳの映像送信装置ＴＤにおいてそのリモートコントローラを操作して、自宅ＡＳに設置されているＡＶ機器ＶＤのメーカ名を表す情報を入力する。そうすると、上記入力されたＡＶ機器ＶＤのメーカ名を表す情報は、映像送信装置ＴＤにおいてユーザインタフェース部１で受信されたのちアプリケーション制御部２に入力され、アプリケーション制御部２によりＡＶ機器メーカ名保存部１０に格納される。
【００３５】
（２）放送コンテンツを視聴するまでの動作
(1) 外出先ＢＳにおいて、自宅ＡＳのＡＶ機器ＶＤに録画された放送コンテンツを視聴しようとする場合、利用者は先ず映像受信装置ＲＤのリモートコントローラを操作して「接続要求」を入力する。このときの入力操作では、接続先の映像送信装置ＴＤを一意に特定するためのアドレス情報として映像送信装置ＴＤのＩＰアドレス又はＤＮＳドメイン名が入力される。上記入力操作に応じてリモートコントローラから出力された赤外線の接続要求信号は、映像受信装置ＲＤのユーザインタフェース部２１で受信されたのち、アプリケーション制御部２２に通知される。
【００３６】
(2) アプリケーション制御部２２は、上記接続要求信号を受け取ると、当該「接続要求」の送信指示をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「接続要求」の送信処理が行われ、これによりネットワークインタフェース部２６から映像送信装置ＴＤに向けて「接続要求」のメッセージが送信される。
【００３７】
(3) 映像送信装置ＴＤのアプリケーション制御部２は、ネットワークインタフェース部６及びＴＣＰ（ＵＤＰ）／ＩＰ処理部５を介して自装置宛ての「接続要求」を受信すると、当該「接続要求」に対する「応答」の返送をＴＣＰ（ＵＤＰ）／ＩＰ処理部５に指示する。この結果、ＴＣＰ（ＵＤＰ）／ＩＰ処理部５ではＴＣＰ（ＵＤＰ）／ＩＰに従い上記「応答」の送信処理が行われ、これによりネットワークインタフェース部６から映像受信装置ＲＤに向けて応答メッセージが返送される。また、それと共に映像送信装置ＴＤのアプリケーション制御部２は、上記「接続要求」の受信に応じて、音声処理部３、映像処理部４、ビデオカメラ９及び選択フラグ７を起動する。
【００３８】
(4) 映像受信装置ＲＤのアプリケーション制御部２２は、ネットワークインタフェース部２６及びＴＣＰ（ＵＤＰ）／ＩＰ処理部２５を介して、上記「接続要求」に対する「応答」を受信すると、音声処理部２３及び映像処理部２４を起動させると共に、上記「応答」を受信した旨の音声メッセージ又は映像メッセージをテレビジョン受信機ＭＴにおいて出力又は表示させる。
【００３９】
(5) さて、この状態でユーザは、ＡＶ機器ＶＤの前面パネルの表示を視認するべく、映像受信装置ＲＤのリモートコントローラを操作して、先ず入力ソースとして“入力１”を選択する。そうすると映像受信装置ＲＤのアプリケーション制御部２２は、ユーザインタフェース部２１から上記“入力１”の選択信号を受け取ると、上記“入力１”の選択情報を選択フラグ２７に書き込むと共に、当該「“入力１”の選択要求」の送信をＴＣＰ（ＵＤＰ）／ＩＰ処理部２５に指示する。この結果、ＴＣＰ（ＵＤＰ）／ＩＰ処理部２５ではＴＣＰ（ＵＤＰ）／ＩＰに従い上記「“入力１”の選択要求」の送信処理が行われ、これによりネットワークインタフェース部２６から映像送信装置ＴＤに向けて上記「“入力１”の選択要求」のメッセージが送信される。
【００４０】
(6) 映像送信装置ＴＤのアプリケーション制御部２は、ネットワークインタフェース部６及びＴＣＰ（ＵＤＰ）／ＩＰ処理部５を介して、上記「“入力１”の選択要求」を受け取ると、この受け取った「選択要求」を映像選択部８に通知する。映像選択部８は、上記通知された「選択要求」により指定された“入力１”を選択フラグ７に書き込む。そして、以後この選択フラグ７に記憶された“入力１”に該当する映像を選択して、映像処理部４へ出力する。
【００４１】
したがってこの場合には、ビデオカメラ９から出力されるＡＶ機器ＶＤの前面パネルを撮像した画像信号が選択されて映像処理部４に入力される。このＡＶ機器ＶＤの前面パネルを撮像した画像信号は、映像処理部４においてH.264等の映像符号化方式に従い符号化され、さらにＴＣＰ（ＵＤＰ）／ＩＰ処理部５でＩＰパケット化されたのちネットワークインタフェース部６から映像受信装置ＲＤに向けて送信される。
【００４２】
(7) 映像受信装置ＲＤは、映像送信装置ＴＤから送信された自装置宛てのＩＰパケットをネットワークインタフェース部２６で受信すると、ＴＣＰ（ＵＤＰ）／ＩＰ処理部２５により上記ＩＰパケットから上記ビデオカメラ９の符号化画像データを取り出す。そして、この取り出された符号化画像データを映像処理部２４で復号して、テレビジョン受信機ＭＴへ出力する。この結果テレビジョン受信機ＭＴには、映像送信装置ＴＤにおいてビデオカメラ９により撮像されたＡＶ機器ＶＤの前面パネルの画像が表示される。
【００４３】
図７にこのＡＶ機器ＶＤの前面パネルの画像の表示結果の一例を示す。この例では、テレビジョン受信機ＭＴの表示画面の中央位置に、ビデオカメラ９により撮像されたＡＶ機器ＶＤの前面パネルの画像６１が表示される。また、それと共に表示画面の右上位置には表示モードを表す情報６２が表示される。この表示モードを表す情報は、選択フラグ２７に記憶された情報を参照してアプリケーション制御部２２により生成される。図７では、「ＡＶ機器のランプ、文字表示の状況」なる文字情報が表示された例を示している。
【００４４】
したがって利用者は、上記表示されたＡＶ機器ＶＤの前面パネルの画像６１により、遠隔操作しようとするＡＶ機器ＶＤのランプ群ＬＰの点灯状況と、文字表示部に表示されたＡＶ機器ＶＤの動作状態を表す情報を、あたかも自宅ＡＳにおいてＡＶ機器ＶＤを直接操作している場合のように視認することが可能となる。また、表示モードを表す情報６２が表示されることで、利用者は自らが選択した映像入力ソース“入力１”を把握しやすくなる。
【００４５】
(8) この状態で利用者は、映像受信装置ＲＤのリモートコントローラにおいて、ＡＶ機器ＶＤの電源をＯＮさせるための操作を行う。そうすると、上記電源ＯＮ操作に応じてリモートコントローラから出力された赤外線信号は、映像受信装置ＲＤのユーザインタフェース部２１で受信されたのち、アプリケーション制御部２２に通知される。アプリケーション制御部２２は、上記電源ＯＮを指示する信号を受け取ると、当該「電源ＯＮ指示」の送信要求をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「電源ＯＮ指示」の送信処理が行われ、これによりネットワークインタフェース部２６から映像送信装置ＴＤに向けて「電源ＯＮ指示」のメッセージが送信される。
【００４６】
(9) 映像送信装置ＴＤのアプリケーション制御部２は、ネットワークインタフェース部６及びＴＣＰ（ＵＤＰ）／ＩＰ処理部５を介して「電源ＯＮ指示」を受信すると、ＡＶ機器メーカ名保存部１０からＡＶ機器ＶＤのメーカ名を表す情報を読み出す。そして、上記「電源ＯＮ指示」に対応するリモコンコード生成指示を、上記読み出されたメーカ名を表す情報と共に、リモコンコード決定部１１に通知する。
【００４７】
(10) リモコンコード決定部１１は、上記通知されたメーカ名を表す情報及びリモコンコード生成指示に応じて、リモコンコード検索テーブル１２から該当する電源ＯＮ制御用のリモコンコードを読み出し、この読み出されたリモコンコードを赤外線リモコン発光部１３に供給する。この結果、赤外線リモコン発光部１３からは、ＡＶ機器ＶＤの電源をＯＮさせるための赤外線信号が送信される。例えば、いまＡＶ機器ＶＤが「う」社のものだったとすれば、リモコンコード検索テーブル１２から図４に示すように“0x0C01”が読み出され、この読み出されたコードを表す赤外線信号が赤外線リモコン発光部１３から送信される。
【００４８】
(11) この赤外線信号はＡＶ機器ＶＤのリモコン受信部ＲＸで受信され、これに応じてＡＶ機器ＶＤの電源がＯＮされる。電源がＯＮされると、ＡＶ機器ＶＤのランプ群ＬＰのうち電源ＯＮ表示用ランプが点灯し、文字表示部ＤＰにＡＶ機器ＶＤの初期状態を示す文字情報が表示される。このＡＶ機器ＶＤの電源ＯＮ表示用ランプの点灯と、文字表示部ＤＰにおける初期動作状態を表す文字情報の表示の様子は、ビデオカメラ９により撮像される。そして、このビデオカメラ９から出力された画像信号は、映像送信装置ＴＤからＩＰ網ＮＷを介して映像受信装置ＲＤに向けて送信され、テレビジョン受信機ＭＴに表示される。したがって利用者は、上記テレビジョン受信機ＭＴに表示されたＡＶ機器ＶＤの前面パネルの画像６１により、ＡＶ機器ＶＤの電源がＯＮされたことを確認することができる。
【００４９】
(12) 次に利用者は、映像受信装置ＲＤのリモートコントローラにおいて、ＡＶ機器ＶＤに記録された放送コンテンツの再生指示操作を行う。そうすると、この再生指示操作に応じてリモートコントローラから出力された赤外線信号は、映像受信装置ＲＤのユーザインタフェース部２１で受信されたのち、アプリケーション制御部２２に通知される。アプリケーション制御部２２は、上記「再生指示」の操作信号を受け取ると、当該「再生指示」の送信要求をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「再生指示」の送信処理が行われ、これによりネットワークインタフェース部２６から映像送信装置ＴＤに向けて再生指示メッセージが送信される。
【００５０】
(13) 映像送信装置ＴＤのアプリケーション制御部２は、ネットワークインタフェース部６及びＴＣＰ（ＵＤＰ）／ＩＰ処理部５を介して「再生指示」を受信すると、ＡＶ機器メーカ名保存部１０からＡＶ機器ＶＤのメーカ名を表す情報を読み出す。そして、上記「再生指示」に対応するリモコンコード生成指示を、上記読み出されたメーカ名を表す情報と共に、リモコンコード決定部１１に通知する。
【００５１】
(14) リモコンコード決定部１１は、上記通知されたメーカ名を表す情報及びリモコンコード生成指示に応じて、リモコンコード検索テーブル１２から該当する再生指示用のリモコンコードを読み出し、この読み出されたリモコンコードを赤外線リモコン発光部１３に供給する。この結果、赤外線リモコン発光部１３からは、ＡＶ機器ＶＤに再生を指示するための赤外線信号が送信される。例えば、いまＡＶ機器ＶＤが「う」社のものだったとすれば、リモコンコード検索テーブル１２から図４に示すように“0x0C02”が読み出され、この読み出されたコードを表す赤外線信号が赤外線リモコン発光部１３から送信される。
【００５２】
(15) この赤外線信号はＡＶ機器ＶＤのリモコン受信部ＲＸで受信され、これに応じてＡＶ機器ＶＤにより放送コンテンツの再生動作が開始される。この再生動作が開始されると、ＡＶ機器ＶＤでは再生表示ランプが点灯すると共に、文字表示部ＤＰに再生時間等の再生動作を表す文字情報が表示される。この再生表示ランプの点灯及び文字情報が表示された様子はビデオカメラ９により撮像される。そして、このビデオカメラ９から出力された画像信号は、映像送信装置ＴＤからＩＰ網ＮＷを介して映像受信装置ＲＤへ送信され、テレビジョン受信機ＭＴに表示される。したがって利用者は、上記テレビジョン受信機ＭＴに表示されたＡＶ機器ＶＤの前面パネルの画像６１により、ＡＶ機器ＶＤで再生動作が開始されたことを確認することができる。
【００５３】
(16) 上記再生動作の開始を確認するとユーザは、当該再生された放送コンテンツを視聴するべく、映像受信装置ＲＤのリモートコントローラを操作して、映像の入力ソースとして“入力２”を選択する。そうすると映像受信装置ＲＤのアプリケーション制御部２２は、ユーザインタフェース部２１から上記“入力２”の選択信号を受け取ると、上記“入力２”の選択結果を表す情報を選択フラグ２７に書き込むと共に、当該「“入力２”の選択要求」の送信をＴＣＰ（ＵＤＰ）／ＩＰ処理部２５に指示する。この結果、ＴＣＰ（ＵＤＰ）／ＩＰ処理部２５ではＴＣＰ（ＵＤＰ）／ＩＰに従い上記「“入力２”の選択要求」の送信処理が行われ、これによりネットワークインタフェース部２６から映像送信装置ＴＤに向けて上記「“入力２”の選択要求」のメッセージが送信される。
【００５４】
(17) 映像送信装置ＴＤのアプリケーション制御部２は、ネットワークインタフェース部６及びＴＣＰ（ＵＤＰ）／ＩＰ処理部５を介して、上記「“入力２”の選択要求」を受け取ると、この受け取った「選択要求」を映像選択部８に通知する。映像選択部８は、それまで選択フラグ７に記憶されていた“入力１”の選択情報を、上記通知された“入力２”に書き換える。そして、以後この選択フラグ７に新たに記憶された“入力２”に該当する映像を選択して、映像処理部４へ出力する。
【００５５】
したがって、この場合映像送信装置ＴＤでは、ＡＶ機器ＶＤから再生出力された放送コンテンツが選択され、その映像信号が映像処理部４に、また音声信号が音声処理部３にそれぞれ入力される。上記入力された放送コンテンツの映像信号は、映像処理部４においてH.264等の映像符号化方式に従い符号化され、また音声信号は音声符号化部３においてG.722等の音声符号化方式に従い符号化される。そして、この符号化された映像データ及び音声データはＴＣＰ（ＵＤＰ）／ＩＰ処理部５でＩＰパケット化されたのちネットワークインタフェース部６から映像受信装置ＲＤに向けて送信される。
【００５６】
(18) 映像受信装置ＲＤは、映像送信装置ＴＤから送信された自装置宛てのＩＰパケットをネットワークインタフェース部２６で受信すると、ＴＣＰ（ＵＤＰ）／ＩＰ処理部２５により上記ＩＰパケットから上記放送コンテンツの符号化映像データ及び符号化音声データを取り出す。そして、この取り出された符号化画像データを映像処理部２４で復号し、また符号化音声データを音声処理部２３で復号し、この復号された映像信号及び音声信号をテレビジョン受信機ＭＴへ出力する。この結果テレビジョン受信機ＭＴにおいては、その表示画面にＡＶ機器ＶＤから再生出力された放送コンテンツの映像が表示され、またスピーカからは放送コンテンツの音声が出力される。
【００５７】
図８に、このＡＶ機器ＶＤから再生出力された放送コンテンツの映像の表示例を示す。この例では、テレビジョン受信機ＭＴの表示画面に放送コンテンツ映像７１が表示され、さらに表示画面の右上位置に表示モードを表す情報７２が表示される。この表示モードを表す情報７２は、選択フラグ２７に記憶された情報を参照してアプリケーション制御部２２により生成される。図８では、「視聴中」なる文字情報が表示された例を示している。  
かくして利用者は、以後ＡＶ機器ＶＤから再生出力された放送コンテンツの視聴が可能となる。また、表示モードを表す情報７２が表示されることで、利用者は自らが選択した映像入力ソース“入力２”を把握しやすくなる。
【００５８】
（３）放送コンテンツの視聴を停止するまでの動作
(1) 放送コンテンツの視聴を終了する場合、利用者は映像受信装置ＲＤのリモートコントローラにおいて再生停止指示操作を行う。そうすると、この再生停止指示操作に応じてリモートコントローラから出力された赤外線信号は、映像受信装置ＲＤのユーザインタフェース部２１で受信されたのち、アプリケーション制御部２２に通知される。アプリケーション制御部２２は、上記「再生停止指示」の操作信号を受け取ると、当該「再生停止指示」の送信要求をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「再生停止指示」の送信処理が行われ、これによりネットワークインタフェース部２６から映像送信装置ＴＤに向けて再生停止指示メッセージが送信される。
【００５９】
(2) 映像送信装置ＴＤのアプリケーション制御部２は、ネットワークインタフェース部６及びＴＣＰ（ＵＤＰ）／ＩＰ処理部５を介して「再生指示」を受信すると、ＡＶ機器メーカ名保存部１０からＡＶ機器ＶＤのメーカ名を表す情報を読み出す。そして、上記「再生停止指示」に対応するリモコンコード生成指示を、上記読み出されたメーカ名を表す情報と共に、リモコンコード決定部１１に通知する。
【００６０】
(3) リモコンコード決定部１１は、上記通知されたメーカ名を表す情報及びリモコンコード生成指示に応じて、リモコンコード検索テーブル１２から該当する再生停止指示用のリモコンコードを読み出し、この読み出されたリモコンコードを赤外線リモコン発光部１３に供給する。この結果、赤外線リモコン発光部１３からは、ＡＶ機器ＶＤに再生停止を指示するための赤外線信号が送信される。
【００６１】
(4) この赤外線信号はＡＶ機器ＶＤのリモコン受信部ＲＸで受信され、これに応じてＡＶ機器ＶＤでは放送コンテンツの再生動作が停止される。再生動作が停止されると、ＡＶ機器ＶＤから映像送信装置ＴＤへの放送コンテンツの入力が停止され、これにより映像送信装置ＴＤから映像受信装置ＲＤへの放送コンテンツの送信も停止される。したがって、テレビジョン受信機ＭＴにおける放送コンテンツの映像表示と音声出力は停止され、これにより利用者はＡＶ機器ＶＤにおいて放送コンテンツの再生動作が終了したことを認識できる。しかしこの場合、ＡＶ機器ＶＤにおける再生動作が確かに終了したのか、映像送信装置ＴＤ又は映像受信装置ＲＤの動作異常、或いはＩＰ網ＮＷの障害により再生映像が消えたのかが利用者には判断できない。
【００６２】
(5) そこで、この場合ユーザはＡＶ機器ＶＤの前面パネルの表示を視認するべく、映像受信装置ＲＤのリモートコントローラを操作して、入力ソースとして“入力１”を再び選択する。そうすると映像受信装置ＲＤのアプリケーション制御部２２は、ユーザインタフェース部２１から上記“入力１”の選択信号を受け取ると、上記“入力１”の選択情報を選択フラグ２７に書き込むと共に、当該「“入力１”の選択要求」の送信をＴＣＰ（ＵＤＰ）／ＩＰ処理部２５に指示する。この結果、ＴＣＰ（ＵＤＰ）／ＩＰ処理部２５ではＴＣＰ（ＵＤＰ）／ＩＰに従い上記「“入力１”の選択要求」の送信処理が行われ、これによりネットワークインタフェース部２６から映像送信装置ＴＤに向けて上記「“入力１”の選択要求」のメッセージが送信される。
【００６３】
(6) 映像送信装置ＴＤのアプリケーション制御部２は、ネットワークインタフェース部６及びＴＣＰ（ＵＤＰ）／ＩＰ処理部５を介して、上記「“入力１”の選択要求」を受け取ると、この受け取った「選択要求」を映像選択部８に通知する。映像選択部８は、それまで選択フラグ７に記憶されていた“入力２”の選択情報を、上記通知された“入力１”に再び書き換える。そして、以後この選択フラグ７に新たに記憶された“入力１”に該当する映像を選択して、映像処理部４へ出力する。
【００６４】
したがってこの場合には、ビデオカメラ９から出力されるＡＶ機器ＶＤの前面パネルを撮像した画像信号が選択されて映像処理部４に入力される。このＡＶ機器ＶＤの前面パネルを撮像した画像信号は、映像処理部４においてH.264等の映像符号化方式に従い符号化され、さらにＴＣＰ（ＵＤＰ）／ＩＰ処理部５でＩＰパケット化されたのちネットワークインタフェース部６から映像受信装置ＲＤに向けて送信される。
【００６５】
(7) 映像受信装置ＲＤは、映像送信装置ＴＤから送信された自装置宛てのＩＰパケットをネットワークインタフェース部２６で受信すると、ＴＣＰ（ＵＤＰ）／ＩＰ処理部２５により上記ＩＰパケットから上記ビデオカメラ９の符号化画像データを取り出す。そして、この取り出された符号化画像データを映像処理部２４で復号して、テレビジョン受信機ＭＴへ出力する。この結果、テレビジョン受信機ＭＴには、映像送信装置ＴＤにおいてビデオカメラ９により撮像されたＡＶ機器ＶＤの前面パネルの画像が、図７に示すように再び表示される。
【００６６】
したがって利用者は、上記表示されたＡＶ機器ＶＤの前面パネルの画像６１により、ＡＶ機器ＶＤにおいて放送コンテンツの再生動作が確かに終了したか否かを確認することが可能となる。なお、この場合にもテレビジョン受信機ＭＴの表示画面には表示モードを表す情報６２が表示される。このため、利用者は自らが選択した映像入力ソース“入力１”をこの表示モードにより把握できる。
【００６７】
(8) 上記再生動作の終了を確認すると、利用者は続いて、映像受信装置ＲＤのリモートコントローラにおいてＡＶ機器ＶＤの電源をＯＦＦさせるための操作を行う。そうすると、上記電源ＯＦＦ操作に応じてリモートコントローラから出力された赤外線信号は、映像受信装置ＲＤのユーザインタフェース部２１で受信されたのち、アプリケーション制御部２２に通知される。アプリケーション制御部２２は、上記電源ＯＦＦを指示する信号を受け取ると、当該「電源ＯＦＦ指示」の送信要求をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「電源ＯＦＦ指示」の送信処理が行われ、これによりネットワークインタフェース部２６から映像送信装置ＴＤに向けて「電源ＯＦＦ指示」のメッセージが送信される。
【００６８】
(9) 映像送信装置ＴＤのアプリケーション制御部２は、ネットワークインタフェース部６及びＴＣＰ（ＵＤＰ）／ＩＰ処理部５を介して「電源ＯＦＦ指示」を受信すると、ＡＶ機器メーカ名保存部１０からＡＶ機器ＶＤのメーカ名を表す情報を読み出す。そして、上記「電源ＯＦＦ指示」に対応するリモコンコード生成指示を、上記読み出されたメーカ名を表す情報と共に、リモコンコード決定部１１に通知する。
【００６９】
(10) リモコンコード決定部１１は、上記通知されたメーカ名を表す情報及びリモコンコード生成指示に応じて、リモコンコード検索テーブル１２から該当する電源ＯＦＦ制御用のリモコンコードを読み出し、この読み出されたリモコンコードを赤外線リモコン発光部１３に供給する。この結果、赤外線リモコン発光部１３からは、ＡＶ機器ＶＤの電源をＯＦＦさせるための赤外線信号が送信される。例えば、いまＡＶ機器ＶＤが「う」社のものだったとすれば、リモコンコード検索テーブル１２から図４に示すように“0x0C03”が読み出され、この読み出されたコードを表す赤外線信号が赤外線リモコン発光部１３から送信される。
【００７０】
(11) この赤外線信号はＡＶ機器ＶＤのリモコン受信部ＲＸで受信され、これに応じてＡＶ機器ＶＤの電源はＯＦＦされる。電源がＯＦＦされると、ＡＶ機器ＶＤのランプ群ＬＰのうち電源ＯＮ表示用ランプが消灯し、文字表示部ＤＰに表示されていたＡＶ機器ＶＤの動作状態を表す文字情報も消える。このＡＶ機器ＶＤにおける電源ＯＮ表示用ランプの消灯と、文字表示部ＤＰの文字情報が消えた様子は、ビデオカメラ９により撮像される。そして、このビデオカメラ９から出力された画像信号は、映像送信装置ＴＤからＩＰ網ＮＷを介して映像受信装置ＲＤに向け送信され、テレビジョン受信機ＭＴに表示される。したがって利用者は、上記テレビジョン受信機ＭＴに表示されたＡＶ機器ＶＤの前面パネルの画像６１により、ＡＶ機器ＶＤの電源がＯＦＦされたことを確認することができる。
【００７１】
(12) 最後に利用者は、映像受信装置ＲＤのリモートコントローラを操作して「接続切断要求」を入力する。この入力操作に応じてリモートコントローラから出力された赤外線の切断要求信号は、映像受信装置ＲＤのユーザインタフェース部２１で受信されたのち、アプリケーション制御部２２に通知される。
【００７２】
(13) アプリケーション制御部２２は、上記接続要求信号を受け取ると、当該「切断要求」送信指示をＴＣＰ（ＵＤＰ）／ＩＰ処理部２５に通知する。この結果、ＴＣＰ（ＵＤＰ）／ＩＰ処理部２５ではＴＣＰ（ＵＤＰ）／ＩＰに従い「切断要求」の送信処理が行われ、これによりネットワークインタフェース部２６から映像送信装置ＴＤに向けて「切断要求」のメッセージが送信される。
【００７３】
(14) 映像送信装置ＴＤのアプリケーション制御部２は、ネットワークインタフェース部６及びＴＣＰ（ＵＤＰ）／ＩＰ処理部５を介して自装置宛ての「切断要求」を受信すると、当該「切断要求」に対する「応答」の返送をＴＣＰ（ＵＤＰ）／ＩＰ処理部５に指示する。この結果、ＴＣＰ（ＵＤＰ）／ＩＰ処理部５ではＴＣＰ（ＵＤＰ）／ＩＰに従い上記「応答」の送信処理が行われ、これによりネットワークインタフェース部６から映像受信装置ＲＤに向けて応答メッセージが返送される。また、それと共に映像送信装置ＴＤのアプリケーション制御部２は、上記「切断要求」の受信に応じて、音声処理部３、映像処理部４、ビデオカメラ９及び選択フラグ７への電源供給を遮断して、これらを非動作状態に復帰させる。
【００７４】
(15) 映像受信装置ＲＤのアプリケーション制御部２２は、ネットワークインタフェース部２６及びＴＣＰ（ＵＤＰ）／ＩＰ処理部２５を介して、上記「切断要求」に対する「応答」を受信すると、音声処理部２３及び映像処理部２４への電源供給を遮断してこれらを非動作状態に復帰させると共に、上記「応答」を受信した旨の音声メッセージ又は映像メッセージをテレビジョン受信機ＭＴにおいて出力又は表示させる。
【００７５】
以上述べたように第１の実施形態では、自宅ＡＳに設置した映像送信装置ＴＤに、ＡＶ機器ＶＤの前面パネルを撮像してその撮像画像情報を出力するビデオカメラ９を設け、外出先に設置された映像受信装置ＲＤからＩＰ網ＮＷを介して送られる入力映像選択信号に応じて、上記ビデオカメラ９から出力された撮像画像信号と上記ＡＶ機器ＶＤから再生出力される放送コンテンツの映像信号とのいずれか一方を選択して映像処理部４で符号化し、この符号化された映像データを上記映像受信装置ＲＤへ送信してテレビジョン受信機ＭＴに表示させるようにしている。
【００７６】
したがって、利用者は外出先ＢＳにおいて、ＡＶ機器ＶＤの前面パネルに表示される電源のＯＮ／ＯＦＦ状態や、再生時間、動作異常等の、当該機器の動作状態を表す情報を視認しながら遠隔操作を行うことが可能となる。しかも、ＡＶ機器ＶＤの前面パネルの撮像画像がそのまま外出先ＢＳに送られて表示されるので、どの利用者も自身のＡＶ機器ＶＤの動作状態をあたかも自宅で操作しているかのように違和感なく直接的に確認することが可能となる。
【００７７】
また、ビデオカメラ９により撮像されたＡＶ機器ＶＤの前面パネルの画像情報は、放送コンテンツの映像信号を符号化するために既に設けられている映像処理部４をそのまま用いて符号化される。すなわち、映像処理部４が共用される。このため、ビデオカメラ９の撮像画像信号を送信するために新たに専用の映像処理部を設ける必要がなく、これにより回路構成の複雑かつ大型化を回避できる。さらに符号化された撮像画像データは、放送コンテンツを送信するために既に設けられているＴＣＰ（ＵＤＰ）／ＩＰ処理部５及びネットワークインタフェース部６を用いて送信されるので、送信モジュール及び伝送路についても共用することが可能となる。
【００７８】
（第２の実施形態）  
図９（ａ），（ｂ）はこの発明の第２の実施形態におけるＡＶ機器ＶＤと映像送信装置ＴＤとの配置関係を示す図であり、（ａ）はその側面図、（ｂ）は平面図を示している。なお、同図において前記図２と同一部分には同一符号を付して詳しい説明は省略する。  
第２の実施形態は、映像送信装置ＴＤの本体部分をＡＶ機器ＶＤ上に重ねて設置すると共に、ビデオカメラ９と赤外線発光部１３とを一体的に構成したプローブ部をＡＶ機器ＶＤの前面パネルに対向配置し、このプローブ部と映像送信装置ＴＤとの間を信号ケーブルＣＶにより接続したものである。なお、プローブ部は、映像送信装置ＴＤ又はＡＶ機器ＶＤに対し支持部材等を介して取着固定される。
【００７９】
このような構成であれば、映像送信装置ＴＤの本体部分をＡＶ機器ＶＤ上に重ねて設置することができるので、第１の実施形態のように映像送信装置ＴＤをＡＶ機器ＶＤの前面パネルに対向する状態で配置する必要がなくなり、これにより配置スペースの小型化が可能となる。
【００８０】
なお、図９では映像送信装置ＴＤの本体部分をＡＶ機器ＶＤ上に重ねて設置したが、映像送信装置ＴＤの本体部分がＡＶ機器ＶＤより大きい場合には、映像送信装置ＴＤの本体部分上にＡＶ機器ＶＤを載置するようにしてもよい。また、映像送信装置ＴＤの本体部分をＡＶ機器ＶＤの側面部に固定するようにしてもよい。
【００８１】
（第３の実施形態）  
この発明の第３の実施形態は、ビデオカメラ９から出力された撮像画像信号とＡＶ機器ＶＤから再生出力される放送コンテンツの映像信号とを映像処理部４で１画面の映像に合成し、この合成された映像信号を符号化したのち映像受信装置ＲＤへ送信するようにしたものである。
【００８２】
図１０は、この発明の第３の実施形態に係わる映像送信装置ＴＤの構成を示すブロック図である。なお、同図において前記図３と同一部分には同一符号を付して詳しい説明は省略する。  
ビデオカメラ９から出力された撮像画像信号と、ＡＶ機器ＶＤから再生出力される放送コンテンツの映像信号は、何れも映像処理部４０に直接入力される。映像処理部４０は、映像合成機能と、映像符号化機能とを備える。
【００８３】
映像合成機能は、ビデオカメラ９から出力された撮像画像信号と、ＡＶ機器ＶＤから再生出力される放送コンテンツの映像信号とを合成して１画面の映像を生成する。合成する際の両映像の配置レイアウトとしては、例えば放送コンテンツの映像の右上又は左上にビデオカメラ９から出力された撮像画像信号を縮小して表示するものや、ピクチャインピクチャ方式を用いてその主エリアに放送コンテンツの映像を、副エリアにビデオカメラ９から出力された撮像画像信号を縮小してそれぞれ表示するものが考えられる。  
映像符号化機能は、上記映像合成機能により生成された合成映像信号をH.264等の映像符号化方式に従い符号化する。
【００８４】
このような構成であるから、ビデオカメラ９から出力された撮像画像信号と、ＡＶ機器ＶＤから再生出力される放送コンテンツの映像信号とは、映像処理部４０において予め定めた合成レイアウトに従い１画面の映像に合成される。この合成された映像信号は映像符号化機能により符号化され、音声処理部３により符号化された音声データと共にＴＣＰ（ＵＤＰ）／ＩＰ処理部５に入力される。そして、ＴＣＰ（ＵＤＰ）／ＩＰ処理部５においてＩＰパケット化されたのち、ネットワークインタフェース部６から外出先ＢＳの映像受信装置ＲＤへ送信される。
【００８５】
したがって、外出先ＢＳのテレビジョン受信機ＭＴには、ビデオカメラ９から出力された撮像画像信号とＡＶ機器ＶＤから再生出力される放送コンテンツの映像信号との合成映像が常時表示されることになる。このため、利用者はＡＶ機器ＶＤの前面パネルの表示情報を常に確認することが可能となる。また、入力ソース（入力１と入力２）の切替操作を行う必要もなくなり、これにより操作性をさらに改善できる。
【００８６】
なお、上記合成映像は、利用者がＡＶ機器ＶＤに対する遠隔操作を行った場合のように、利用者が確認を必要とする期間にのみ生成するようにし、それ以外の期間にはＡＶ機器ＶＤから再生出力された放送コンテンツ映像のみを符号化して送信するようにしてもよい。
【００８７】
（その他の実施形態）  
第１の実施形態では、利用者による映像入力ソース（「入力１」又は入力２）の選択操作を応じて映像受信装置ＲＤから映像送信装置ＴＤへ映像選択信号を伝送し、映像送信装置ＴＤでは上記映像選択信号に応じて映像選択部８により送信対象の映像を撮像画像信号と放送コンテンツとの間で切り替えるようにした。  
しかし、この発明はこれに限定されるものではなく、例えば映像受信装置ＲＤにおいて利用者が何らかの遠隔操作を行った場合に、その操作信号に応じて映像送信装置ＴＤの映像選択部８が送信対象の映像を放送コンテンツから撮像画像信号に切り替え、上記遠隔操作に応じてＡＶ機器ＶＤから放送コンテンツの出力が開始されるか又は上記切替後予め設定された時間が経過した時点で送信対象の映像を撮像画像信号から放送コンテンツに切り替えるようにしてもよい。このようにすると、利用者は映像入力ソース（「入力１」又は入力２）の選択操作が不要となる。
【００８８】
その他、オーディオビデオ機器の種類や、映像送信装置及び映像受信装置の構成、映像送信装置と映像受信装置との間の伝送プロトコル、ビデオカメラ９から出力された撮像画像信号のサイズ（必要に応じて縮小又は拡大してもよい）等についても、この発明の要旨を逸脱しない範囲で種々変形して実施できる。
【００８９】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００９０】
【図１】この発明に係わるコンテンツ情報送信装置を使用する遠隔操作システムの第１の実施形態を示す概略構成図である。
【図２】図１に示した遠隔操作システムにおけるＡＶ機器ＶＤと映像送信装置ＴＤとの配置関係の一例を示す図である。
【図３】この発明の第１の実施形態に係わる映像送信装置ＴＤの詳細な構成を示すブロック図である。
【図４】図３に示した映像送信装置ＴＤに設けられるリモコンコード検索テーブル１２の一例を示す図である。
【図５】図１に示した遠隔操作システムにおける映像受信装置ＲＤの構成を示すブロック図である。
【図６】図１に示した遠隔操作システムの動作説明に使用するシーケンス図である。
【図７】図１に示した遠隔操作システムの外出先のテレビジョン受信機ＭＴに表示される、ＡＶ機器ＶＤの前面パネルの画像の表示例を示す図である。
【図８】図１に示した遠隔操作システムの外出先のテレビジョン受信機ＭＴに表示される、放送コンテンツ映像の表示例を示す図である。
【図９】この発明の第２の実施形態におけるＡＶ機器ＶＤと映像送信装置ＴＤとの配置関係を示す図であり、（ａ）はその側面図、（ｂ）は平面図である。
【図１０】この発明の第３の実施形態に係わる映像送信装置ＴＤの構成を示すブロック図である。
【符号の説明】
【００９１】
ＡＳ…自宅、ＢＳ…外出先、ＶＤ…ＡＶ機器、ＴＤ…映像送信装置、ＭＴ…テレビジョン受信機、ＲＤ…映像受信装置、ＮＷ…ＩＰ網、ＬＰ…ランプ群、ＤＰ…操作表示部、ＲＸ…赤外線リモコン受信部、１，２１…ユーザインタフェース部、２，２２…アプリケーション制御部、３，２３…音声処理部、４，２４，４０…映像処理部、５，２５…ＴＣＰ（ＵＤＰ）／ＩＰ処理部、６，２６…ネットワークインタフェース部、７，２７…選択フラグ、８…映像選択部、９…ビデオカメラ、１０…ＡＶ機器メーカ名保存部、１１…リモコンコード決定部、１２…リモコンコード検索テーブル、１３…赤外線リモコン発光部。
【図１】
2009272695.tif 000003
【図２】
2009272695.tif 000004
【図３】
2009272695.tif 000005
【図４】
2009272695.tif 000006
【図５】
2009272695.tif 000007
【図６】
2009272695.tif 000008
【図７】
2009272695.tif 000009
【図８】
2009272695.tif 000010
【図９】
2009272695.tif 000011
【図１０】
2009272695.tif 000012